(57)【要約】【課題】  非選択画素部における表示素子の誤動作を防止して、高品質な画像表示を行う。【解決手段】  走査線及びデータ線に夫々電気的に接続される複数の画素部と、選択信号に応じてデータ線に画像信号を夫々供給する複数の選択用スイッチング素子と、走査線駆動回路による走査信号の供給により、相対的に先に選択される一の走査線と相対的に後に選択される他の走査線とについて、一の走査線に対する走査信号の供給が終了して他の走査線が選択された後、選択信号を供給する選択信号供給回路と、画像信号の電圧の極性を反転させる期間は、一の走査線に対する走査信号の供給が終了した後、他の走査線が選択されて選択信号の供給が開始されるまでとした、画像信号を供給する画像信号供給回路とを備える。【選択図】  図５
2005316023.tif 000002
【特許請求の範囲】
【請求項１】
複数の走査線及び複数のデータ線と、
前記走査線及び前記データ線に夫々電気的に接続されると共に、表示素子を夫々含む複数の画素部と、
選択信号に応じて前記データ線に画像信号を夫々供給する複数の選択用スイッチング素子と、
前記複数の走査線を線順次に選択するための走査信号を、前記複数の走査線に夫々供給する走査線駆動回路と、
前記複数の走査線のうち、前記走査信号が相対的に先に供給される一の走査線と、前記走査信号が相対的に後に供給される他の走査線とについて、前記一の走査線に対する前記走査信号の供給が終了して、前記走査信号の供給により前記他の走査線が選択された後、前記選択信号を前記各選択用スイッチング素子に供給する選択信号供給回路と、
前記画像信号の電圧の極性を所定の基準電位に対して第１極性及び第２極性のいずれかに反転させる期間は、前記一の走査線に対する前記走査信号の供給が終了した後、前記他の走査線が選択されて前記選択信号の供給が開始されるまでとした、前記画像信号を前記各選択用スイッチング素子に供給する画像信号供給回路と
を備えることを特徴とする電気光学装置。
【請求項２】
前記選択信号供給回路は、前記他の走査線が選択されている期間に、前記選択信号としてプリチャージ期間を規定するプリチャージ用選択信号を前記複数の選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を、前記一又は複数の同時に駆動されるデータ線に対応する前記選択用スイッチング素子に供給し、
前記画像信号供給回路は、前記画像信号の電圧の極性を、前記他の走査線が選択された後前記プリチャージ期間の開始時までに反転させると共に、前記画像信号を、前記プリチャージ期間に、所定のプリチャージ電位を有するプリチャージ信号として供給し、前記画像信号供給期間に、前記データ線毎に調整された表示電位を有する画像信号として供給すること
を特徴とする請求項１に記載の電気光学装置。
【請求項３】
プリチャージ期間を規定するプリチャージ用選択信号に応じて、前記複数のデータ線にまとめてプリチャージ信号を供給する複数のプリチャージ選択用スイッチング素子と、
前記プリチャージ信号の電圧を、前記他の走査線が選択された後前記プリチャージ期間の開始時までに、前記画像信号の電圧の極性に対応させて、前記第１極性及び前記第２極性のいずれかに反転させて、少なくとも前記プリチャージ期間に前記プリチャージ信号を前記各プリチャージ選択用スイッチング素子に供給するプリチャージ信号供給回路と
を更に備えており、
前記選択信号供給回路は、前記他の走査線が選択されている期間に、前記プリチャージ用選択信号を前記複数のプリチャージ選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を前記一又は複数の同時に駆動されるデータ線に対応する前記選択用スイッチング素子に供給し、
前記画像信号供給回路は、前記画像信号の電圧の極性を、前記他の走査線が選択された後前記プリチャージ期間の開始時までに反転させると共に、前記画像信号を、前記プリチャージ期間に、所定のプリチャージ電位を有するプリチャージ信号として供給し、前記画像信号供給期間に、前記データ線毎に調整された表示電位を有する画像信号として供給すること
を特徴とする請求項１に記載の電気光学装置。
【請求項４】
複数の走査線及び複数のデータ線と、
前記走査線及び前記データ線に夫々電気的に接続されると共に、表示素子を夫々含む複数の画素部と、
選択信号に応じて前記データ線に画像信号を夫々供給する複数の選択用スイッチング素子と、
前記複数の走査線を線順次に選択するための走査信号を、前記複数の走査線に夫々供給する走査線駆動回路と、
前記複数の走査線のうち、前記走査信号が相対的に先に供給される一の走査線と、前記走査信号が相対的に後に供給される他の走査線とについて、前記一の走査線に対する前記走査信号の供給が終了して、前記走査信号の供給により前記他の走査線が選択されている期間に、前記選択信号としてプリチャージ期間を規定するプリチャージ用選択信号を前記複数の選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を、前記一又は複数の同時に駆動されるデータ線に対応する前記選択用スイッチング素子に供給する選択信号供給回路と、
前記プリチャージ期間の開始時に、前記画像信号の電圧の極性を所定の基準電位に対して第１極性及び第２極性のいずれかに反転させると共に、前記画像信号を、前記各選択用スイッチング素子に、前記プリチャージ期間に所定のプリチャージ電位を有するプリチャージ信号として供給し、前記画像信号供給期間に、前記データ線毎に調整された表示電位を有する画像信号として供給する画像信号供給回路と
を更に備えることを特徴とする電気光学装置。
【請求項５】
前記画素部は、前記表示素子をスイッチング制御する画素スイッチング素子を含み、
前記表示素子は、画素電極及び該画素電極に対向して設けられ、共通電位とされる対向電極間に電気光学物質を挟持してなり、
前記画素スイッチング素子は、前記走査線より供給される前記走査信号に応じて、前記データ線より供給される前記画像信号を、前記画素電極に供給すると共に、
前記表示素子は、前記画像信号に基づいて画像表示を行うこと
を特徴とする請求項１から４のいずれか一項に記載の電気光学装置。
【請求項６】
請求項１から５のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えてなる例えば液晶プロジェクタ等の電子機器の技術分野に関する。
【背景技術】
【０００２】
この種の電気光学装置の一例として、特許文献１から６には、各画素部において、電気光学物質の一例である液晶を画素電極及び対向電極間に挟持してなる液晶素子に、画素電極及び対向電極の各々の電位によって規定される電圧を印加して画像表示を行う液晶装置が開示されている。この液晶装置では、直流成分の印加による液晶の劣化を防止する等のために、液晶素子を以下のように交流駆動する。
【０００３】
各画素部には、走査線より走査信号が供給され、データ線より第１極性若しくは第２極性に反転された電圧の画像信号が供給される。そして、走査信号の供給によって選択された画素部において、供給された画像信号に基づいて液晶素子は画像表示を行う。ここで、例えばノーマリーホワイトモードの表示では、液晶素子によって黒レベルの表示を行った後、極性反転された画像信号に基づいて黒レベルの表示を行う際に、データ線の電圧の変化は最も大きくなる。
【０００４】
特許文献１から６では、上述したような液晶素子による画像表示に先立ち、データ線に対してプリチャージが、例えば次のような方法により行われる。即ち、データ線に１種類の選択用スイッチング素子を設けて、プリチャージ用選択信号及び画像信号供給用選択信号を供給する。選択用スイッチング素子は、プリチャージ用選択信号に応じて、プリチャージが行われるプリチャージ期間を規定し、画像信号供給用選択信号に応じて、対応するデータ線に所定の表示電圧の画像信号が供給される画像信号供給期間を規定する。そして、画像信号の電圧を、プリチャージ期間には所定のプリチャージ電圧とし、画像信号供給期間には所定の表示電圧として、選択用スイッチング素子に供給する（この方式のプリチャージを、本願では適宜“ビデオプリチャージ”と呼ぶ）。
【０００５】
或いは、データ線に、選択用スイッチング素子及びプリチャージ選択用スイッチング素子を設けて、選択用スイッチング素子には画像信号供給用選択信号を供給し、プリチャージ選択用スイッチング素子にはプリチャージ用選択信号を供給する。プリチャージ選択用スイッチング素子は、プリチャージ用選択信号に応じてプリチャージ期間を選択し、選択用スイッチング素子は、画像信号供給用選択信号に応じて画像信号供給期間を規定する。そして、プリチャージ期間には所定のプリチャージ電圧のプリチャージ信号をプリチャージ選択用スイッチング素子に供給し、画像信号供給期間には所定の表示電圧の画像信号を、選択用スイッチング素子に供給する（この方式のプリチャージを、本願では適宜“通常プリチャージ”或いは単に“プリチャージ”と呼ぶ）。
【０００６】
各走査線は走査信号が供給されることにより線順次に駆動する。そして、画像信号供給期間が経過した後、画像信号又はプリチャージ信号の極性が反転されると同時に、走査線への走査信号の供給が終了して、走査線の選択が終了する。
【０００７】
【特許文献１】特開平１１−８５１１５号公報
【特許文献２】国際公開第９９／０４３８４号パンフレット
【特許文献３】特開２０００−２２１４７６号公報
【特許文献４】特開２００１−３４３９５３号公報
【特許文献５】特開２００２−１４９１３７号公報
【特許文献６】特開２００３−２０２８４７号公報
【発明の開示】
【発明が解決しようとする課題】
【０００８】
しかしながら、上述したような液晶装置では、表示画面の中央付近に位置する画素部では、配線抵抗若しくは配線容量によって、走査信号の供給が終了されても、走査線の選択が終了されるタイミングが、画像信号又はプリチャージ信号の極性反転タイミングに対して遅れることがある。これにより、選択用スイッチング素子又はプリチャージ選択用スイッチング素子の容量結合を介して画像信号又はプリチャージ信号の交流成分が、データ線に書き込まれ更にはデータ線を介して液晶素子に書き込まれて、液晶素子が誤動作する恐れがある。このように非選択画素部において液晶素子の誤動作が生じると、表示画像の品質が劣化するという問題点が生じる。
【０００９】
本発明は、上記問題点に鑑み成されたものであり、非選択画素部における表示素子の誤動作を防止して、高品質な画像表示を行うことが可能な液晶装置等の電気光学装置、及びそのような電気光学装置を備えた各種電子機器を提供することを課題とする。
【課題を解決するための手段】
【００１０】
本発明の第１の電気光学装置は上記課題を解決するために、複数の走査線及び複数のデータ線と、前記走査線及び前記データ線に夫々電気的に接続されると共に、表示素子を夫々含む複数の画素部と、選択信号に応じて前記データ線に画像信号を夫々供給する複数の選択用スイッチング素子と、前記複数の走査線を線順次に選択するための走査信号を、前記複数の走査線に夫々供給する走査線駆動回路と、前記複数の走査線のうち、前記走査信号が相対的に先に供給される一の走査線と、前記走査信号が相対的に後に供給される他の走査線とについて、前記一の走査線に対する前記走査信号の供給が終了して、前記走査信号の供給により前記他の走査線が選択された後、前記選択信号を前記各選択用スイッチング素子に供給する選択信号供給回路と、前記画像信号の電圧の極性を所定の基準電位に対して第１極性及び第２極性のいずれかに反転させる期間は、前記一の走査線に対する前記走査信号の供給が終了した後、前記他の走査線が選択されて前記選択信号の供給が開始されるまでとした、前記画像信号を前記各選択用スイッチング素子に供給する画像信号供給回路とを備える。
【００１１】
本発明の第１の電気光学装置によれば、各画素部には液晶素子等の表示素子が含まれる他、表示素子を駆動するための駆動素子として例えば薄膜トランジスタ（Ｔｈｉｎ Ｆｉｌｍ Ｔｒａｎｓｉｓｔｏｒ；以下適宜、“ＴＦＴ”と称する）等の画素スイッチング素子が設けられる。各走査線は、基板上の画像表示領域において、例えば一方向に沿って並べて配線されている。
【００１２】
当該第１の電気光学装置の駆動時、各走査線は、走査線駆動回路より供給される走査信号によって線順次に選択される。ここで、本発明における「線順次」には、各走査線を上述の一方向に沿った順番に選択する場合の他、複数の部分領域で互い違いに各走査線を選択する場合も含まれる。そして、選択された走査線より走査信号が供給されることにより、対応する画素部は、選択された状態となる。例えば、選択された走査線より走査信号が供給されて画素スイッチング素子がオン状態とされることにより、画素部は選択された状態となる。
【００１３】
複数の走査線のうち、走査信号が相対的に先に供給される一の走査線と、走査信号が相対的に後に供給される他の走査線とについて、一の走査線に対する走査信号の供給が終了して、走査信号の供給により他の走査線が選択された後、各選択用スイッチング素子には、選択信号供給回路から選択信号が供給される。
【００１４】
他方、画像信号供給回路より、各選択用スイッチング素子には画像信号が供給される。より具体的には、画像信号供給回路は、一の走査線に対する走査信号の供給が終了した後、他の走査線が選択されて選択信号供給回路によって選択信号の供給が開始されるまでの期間に、画像信号の電圧の極性を反転させる共に、該電圧を所定値に調整する。
【００１５】
各選択用スイッチング素子は、選択信号に応じてオン状態となり、データ線に画像信号を供給する。即ち、データ線に画像信号が供給される期間が、選択用スイッチング素子によって選択される。
【００１６】
以上の結果、走査信号によって選択された画素部には、対応するデータ線より画像信号が供給され、表示素子は供給された画像信号によって交流駆動され、画像表示を行う。この際、画像信号供給回路は、画像信号の電圧の極性反転を一の走査線の選択が終了した後に行うので、一の走査線に対応する画素部の選択は終了している。よって、一の走査線に対応する画素部に、対応するデータ線に選択用スイッチング素子の容量結合を介して供給された画像信号の交流成分が書き込まれる事態を防止することができる。従って、例えば、表示画面の中央付近に位置する画素部においても、該画素部に対応する走査線の選択が終了してから、画像信号の電圧の極性反転が行われるため、表示素子に画像信号の交流成分が書き込まれる事態を防止して、表示素子の誤動作を防止することが可能となる。このように、当該第１の電気光学装置では、表示素子として例えば液晶素子を用いる場合、直流成分の印加による液晶の劣化を防止することができる。その結果、各画素部において高品質な画像表示を行うことが可能となる。
【００１７】
本発明の第１の電気光学装置の一態様では、前記選択信号供給回路は、前記他の走査線が選択されている期間に、前記選択信号としてプリチャージ期間を規定するプリチャージ用選択信号を前記複数の選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を、前記一又は複数の同時に駆動されるデータ線に対応する前記選択用スイッチング素子に供給し、前記画像信号供給回路は、前記画像信号の電圧の極性を、前記他の走査線が選択された後前記プリチャージ期間の開始時までに反転させると共に、前記画像信号を、前記プリチャージ期間に、所定のプリチャージ電位を有するプリチャージ信号として供給し、前記画像信号供給期間に、前記データ線毎に調整された表示電位を有する画像信号として供給する。
【００１８】
この態様によれば、複数の走査線のうち、相対的に先に選択される一の走査線と、相対的に後に選択される他の走査線とについて、一の走査線の選択が終了して、他の走査線が選択されている期間に、選択信号供給回路は、選択信号として、プリチャージ用選択信号及び画像信号供給用選択信号を供給する。
【００１９】
プリチャージ用選択信号が供給されている期間に、複数の選択用スイッチング素子はまとめてオン状態となり、プリチャージ期間が規定される。画像信号供給回路は、画像信号の電圧の極性を、他の走査線が選択された後プリチャージ期間の開始時までに反転させる。また、プリチャージ期間に、画像信号供給回路より、画像信号がプリチャージ信号として供給される。そして、複数の選択用スイッチング素子によって、複数のデータ線に画像信号が供給されることにより、データ線のプリチャージをビデオプリチャージによって行うことができる。
【００２０】
よって、ビデオプリチャージを行う場合も、走査信号の供給が終了した一の走査線に対応する画素部において、表示素子に画像信号の交流成分が書き込まれる事態を防止することが可能となる。
【００２１】
プリチャージ期間の経過後、画像信号供給用選択信号が供給されることにより、複数のデータ線のうち一又は複数のデータ線に対応する選択用スイッチング素子はオン状態となり、画像信号供給期間が規定される。画像信号供給回路は、画像信号供給期間に、画像信号を、データ線毎に調整された表示電位を有する電圧として供給する。即ち、画像信号供給期間には、画像信号供給回路からは、本来の或いは上述したように電圧が調整された狭義の「画像信号」が供給される。そして、オン状態となった選択用スイッチング素子を介して、画像信号がデータ線に供給される。これにより、一のデータ線が駆動される、若しくはオン状態となった選択用スイッチング素子に対応する複数のデータ線が同時に駆動される。そして、選択された画素部に駆動されたデータ線より画像信号が供給されることにより、画像表示が行われる。
【００２２】
ここで、プリチャージ期間にプリチャージ信号が書き込まれることにより、複数のデータ線はプリチャージされている。従って、画像信号供給期間に、データ線に対する画像信号の書き込みを、比較的短時間で行うことが可能となる。
【００２３】
本発明の第１の電気光学装置の他の態様では、プリチャージ期間を規定するプリチャージ用選択信号に応じて、前記複数のデータ線にまとめてプリチャージ信号を供給する複数のプリチャージ選択用スイッチング素子と、前記プリチャージ信号の電圧を、前記他の走査線が選択された後前記プリチャージ期間の開始時までに、前記画像信号の電圧の極性に対応させて、前記第１極性及び前記第２極性のいずれかに反転させて、少なくとも前記プリチャージ期間に前記プリチャージ信号を前記各プリチャージ選択用スイッチング素子に供給するプリチャージ信号供給回路とを更に備えており、前記選択信号供給回路は、前記他の走査線が選択されている期間に、前記プリチャージ用選択信号を前記複数のプリチャージ選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を前記一又は複数の同時に駆動されるデータ線に対応する前記選択用スイッチング素子に供給し、前記画像信号供給回路は、前記画像信号の電圧の極性を、前記他の走査線が選択された後前記プリチャージ期間の開始時までに反転させると共に、前記画像信号を、前記プリチャージ期間に、所定のプリチャージ電位を有するプリチャージ信号として供給し、前記画像信号供給期間に、前記データ線毎に調整された表示電位を有する画像信号として供給する。
【００２４】
この態様によれば、複数の走査線のうち、相対的に先に選択される一の走査線と、相対的に後に選択される他の走査線とについて、一の走査線の選択が終了して、他の走査線が選択されている期間に、選択信号供給回路は、プリチャージ用選択信号及び選択信号として画像信号供給用選択信号を供給する。
【００２５】
プリチャージ用選択信号が供給されている期間に、複数のプリチャージ選択用スイッチング素子はまとめてオン状態となり、プリチャージ期間が規定される。プリチャージ信号供給回路は、他の走査線が選択された後プリチャージ期間の開始時までに、画像信号供給期間にデータ線に供給される画像信号の電圧の極性に対応させて、プリチャージ信号の電圧を極性反転する。また、プリチャージ信号供給回路は、プリチャージ信号を少なくともプリチャージ期間に供給する。尚、画像信号供給回路は、画像信号の電圧の極性を、他の走査線が選択された後プリチャージ期間の開始時までに反転させる。これらにより、データ線のプリチャージを通常プリチャージによって行うことができる。
【００２６】
そして、プリチャージ期間に、複数のプリチャージ選択用スイッチング素子を介して、複数のデータ線にまとめてプリチャージ信号が供給されることにより、複数のデータ線をまとめてプリチャージすることが可能となる。また、一の走査線に対応する画素部の選択が終了している状態で、プリチャージ信号供給回路によって、プリチャージ信号の電圧の極性が反転され、画像信号供給回路によって画像信号の電圧の極性が反転される。従って、一の走査線に対応する画素部に、対応するデータ線にプリチャージ選択用スイッチング素子又は選択用スイッチング素子の容量結合を介して供給されたプリチャージ信号又は画像信号の交流成分が書き込まれる事態を防止することができる。
【００２７】
プリチャージ期間の経過後、画像信号供給用選択信号が、複数のデータ線のうち一又は複数のデータ線に対応する選択用スイッチング素子に供給され、画像信号供給期間が規定される。画像信号供給回路は、画像信号供給期間に、本来の或いは狭義の画像信号を供給する。そして選択された画素部にデータ線より画像信号が供給されることにより、画像表示が行われる。ここで、データ線はプリチャージされているため、画像信号供給期間に、データ線に対する画像信号の書き込みを、比較的短時間で行うことが可能となる。
【００２８】
尚、上述したような通常プリチャージを行う場合、プリチャージ期間の開始以降であってプリチャージ期間の開始時付近に、プリチャージ信号供給回路はプリチャージ信号の電圧を極性反転すると共に、画像信号供給回路は、画像信号の電圧を極性反転するようにしてもよい。このようにすれば、帰線期間を短時間とすることができる。
【００２９】
本発明の第２の電気光学装置は上記課題を解決するために、複数の走査線及び複数のデータ線と、前記走査線及び前記データ線に夫々電気的に接続されると共に、表示素子を夫々含む複数の画素部と、選択信号に応じて前記データ線に画像信号を夫々供給する複数の選択用スイッチング素子と、前記複数の走査線を線順次に選択するための走査信号を、前記複数の走査線に夫々供給する走査線駆動回路と、前記複数の走査線のうち、前記走査信号が相対的に先に供給される一の走査線と、前記走査信号が相対的に後に供給される他の走査線とについて、前記一の走査線に対する前記走査信号の供給が終了して、前記走査信号の供給により前記他の走査線が選択されている期間に、前記選択信号としてプリチャージ期間を規定するプリチャージ用選択信号を前記複数の選択用スイッチング素子に対してまとめて供給すると共に、前記プリチャージ期間が経過した後に、前記選択信号として前記複数のデータ線のうち一又は複数の同時に駆動されるデータ線の画像信号供給期間を規定する画像信号供給用選択信号を、前記一又は複数の同時に駆動されるデータ線に対応する前記選択用スイッチング素子に供給する選択信号供給回路と、前記プリチャージ期間の開始時に、前記画像信号の電圧の極性を所定の基準電位に対して第１極性及び第２極性のいずれかに反転させると共に、前記画像信号を、前記各選択用スイッチング素子に、前記プリチャージ期間に所定のプリチャージ電位を有するプリチャージ信号として供給し、前記画像信号供給期間に、前記データ線毎に調整された表示電位を有する画像信号として供給する画像信号供給回路とを更に備える。
【００３０】
本発明の第２の電気光学装置によれば、上述した本発明の第１の電気光学装置と同様に、プリチャージ期間には、複数のデータ線がまとめてプリチャージされ、このようなプリチャージはビデオプリチャージによって行うことができる。
【００３１】
また、一の走査線に対応する画素部の選択が終了している状態で、画像信号供給回路によって画像信号の電圧の極性が反転される。よって、一の走査線に対応する画素部に、対応するデータ線に選択用スイッチング素子の容量結合を介して供給された画像信号の交流成分が書き込まれる事態を防止することができる。よって、例えば、表示画面の中央付近に位置する画素部においても、表示素子の誤動作を防止することが可能となる。その結果、各画素部において高品質な画像表示を行うことが可能となる。
【００３２】
更に、画像信号供給回路による極性反転において、画像信号の電圧は所定のプリチャージ電圧に調整されるため、極性反転に伴う画像信号の電圧の変化を比較的小さく抑えることが可能となる。尚、画像信号の電圧の極性反転のタイミングは、プリチャージ期間の開始時付近とするようにしてもよい。この場合、プリチャージ期間の開始前とするのでは、前述の画像信号の電圧変化を小さく抑えるという利益が享受できないため、プリチャージ期間の開始以降とするのが好ましい。このように画像信号の電圧の極性反転のタイミングを、プリチャージ期間の開始以降であって、プリチャージ期間の開始時付近とすることにより、帰線期間を短時間とすることができる。
【００３３】
加えて、プリチャージ期間の経過後、画像信号供給期間に、データ線に対する画像信号の書き込みを、比較的短時間で行うことが可能となる。
【００３４】
本発明の第１又は第２の電気光学装置の他の態様では、前記画素部は、前記表示素子をスイッチング制御する画素スイッチング素子を含み、前記表示素子は、画素電極及び該画素電極に対向して設けられ、共通電位とされる対向電極間に電気光学物質を挟持してなり、前記画素スイッチング素子は、前記走査線より供給される前記走査信号に応じて、前記データ線より供給される前記画像信号を、前記画素電極に供給すると共に、前記表示素子は、前記画像信号に基づいて画像表示を行う。
【００３５】
この態様によれば、各画素部において表示素子は、画素スイッチング素子によって、スイッチング制御される。より具体的には、画素スイッチング素子は、対応する走査線より供給された走査信号に応じて、対応するデータ線に供給された画像信号を表示素子の画素電極に供給する。これにより、各画素部をアクティブマトリクス駆動することが可能となる。
【００３６】
また、各画素部において、表示素子は、画素電極及び対向電極間に液晶等の電気光学物質を挟持してなる。そして、画素電極及び対向電極の各々の電位によって規定される電圧が電気光学物質に印加されることにより、表示素子によって画像表示が行われる。ここで、各画素部において、表示素子の対向電極は共通の所定電位に維持される。そして、画素電極に極性反転された画像信号が供給されることにより、表示素子を交流駆動することが可能となる。
【００３７】
本発明の電子機器は上記課題を解決するために、上述した本発明の第１又は第２の電気光学装置を具備する。
【００３８】
本発明の電子機器は、上述した本発明の第１又は第２の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００３９】
本発明のこのような作用及び他の利得は次に説明する実施の形態から明らかにされる。
【発明を実施するための最良の形態】
【００４０】
以下では、本発明の実施の形態について図を参照しつつ説明する。以下の実施形態は、本発明の電気光学装置を液晶装置に適用したものである。
【００４１】
＜１：第１実施形態＞
先ず、本発明の電気光学装置に係る第１実施形態について、図１から図５を参照して説明する。
【００４２】
＜１−１；電気光学パネルの全体構成＞
本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ’断面図である。ここでは、駆動回路内蔵型のＴＦＴアクティブマトリクス駆動方式の液晶装置を例にとる。
【００４３】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４４】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４５】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４６】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００４７】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４８】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００４９】
なお、図１及び図２には図示しないが、ＴＦＴアレイ基板１０上には、データ線駆動回路１０１や走査線駆動回路１０４等に加えて、後述するように画像信号線上の画像信号をサンプリングしてデータ線に供給するサンプリング回路が形成されている。本実施形態では、サンプリング回路のほか、製造途中や出荷時の当該電気光学装置の品質、欠陥等を検査するための検査回路等を形成してもよい。
【００５０】
＜１−２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００５１】
図３に示すように、液晶装置は、主要部として、液晶パネル１００、画像信号供給回路３００、タイミング制御回路４００、及び電源回路７００を備える。
【００５２】
タイミング制御回路４００は、各部で使用される各種タイミング信号を出力するように構成されている。本実施形態では、タイミング制御回路４００及びデータ線駆動回路１０１によって、本発明に係る「選択信号供給回路」の主要部が構成される。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。また、タイミング制御回路４００は、プリチャージ期間を規定するプリチャージ用選択信号ＮＲＧを生成する。
【００５３】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００は、画像信号ＶＩＤ１〜ＶＩＤ６の各々の電圧を、所定の基準電位ｖ０に対して「第１極性」及び「第２極性」として正極性及び負極性に反転して、画像信号ＶＩＤ１〜ＶＩＤ６を出力する。
【００５４】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００５５】
次に、液晶パネル１００における電気的な構成について説明する。
【００５６】
図４に示すように、液晶パネル１００には、そのＴＦＴアレイ基板１０の周辺領域に、走査線駆動回路１０４、データ線駆動回路１０１、及びサンプリング回路２００を含む内部駆動回路が設けられている。
【００５７】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００５８】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、本発明に係る「画像信号供給用選択信号」としてサンプリング信号Ｓ１、・・・、Ｓｎを順次生成して出力する。
【００５９】
サンプリング回路２００は、本発明に係る「選択用スイッチング素子」として、Ｐチャネル型又はＮチャネル型の片チャネル型ＴＦＴ若しくは相補型のＴＦＴから構成されたサンプリングスイッチ２０２を複数備える。
【００６０】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び本発明に係る「画素スイッチング素子」として画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００６１】
６相にシリアル−パラレル展開された画像信号ＶＩＤ１〜ＶＩＤ６は夫々、画像信号線１７１を介して液晶パネル１００に供給される。また、図４に示すように、サンプリング回路２００において、Ｎ個、本実施形態では６個のサンプリングスイッチ２０２を１群とし、該１群に属するサンプリングスイッチ２０２に対応させてＯＲ回路１７０が設けられている。そして、ＯＲ回路１７０を介して、１群に属するサンプリングスイッチ２０２には夫々、タイミング制御回路４００によって生成されたプリチャージ選択用信号ＮＲＧが入力されると共に、データ線駆動回路１０１よりサンプリング信号Ｓｉ（ｉ＝１、２、・・・、ｎ）が入力される。１群に属するサンプリングスイッチ２０２は、Ｎ本、本実施形態では６本のデータ線１１４を１群とし、１群に属するデータ線１１４に対し、プリチャージ選択用信号ＮＲＧ又はサンプリング信号Ｓｉに応じて、６相にシリアル−パラレル展開された画像信号ＶＩＤ１〜ＶＩＤ６をサンプリングして供給する。即ち、１群に属するサンプリングスイッチ２０２を介して、１群に属するデータ線１１４と６本の画像信号線１７１が電気的に接続される。従って、本実施形態では、ｎ本のデータ線１１４を１群に属するデータ線１１４毎に駆動するため、駆動周波数が抑えられる。
【００６２】
図４中、一つの画素部７０の構成に着目すれば、ＴＦＴ１１６のソース電極には、画像信号ＶＩＤｋ（但し、ｋ＝１、２、３、・・・、６）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００６３】
走査線駆動回路１０４から出力される走査信号Ｙ１、・・・、Ｙｍによって、各走査線１１２は線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００６４】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６５】
＜１−３；電気光学装置の動作＞
次に、図１から図４に加えて、図５を参照して液晶装置の動作について説明する。図５は、液晶装置の動作に係る各種信号の経時的変化を示すタイミングチャートである。
【００６６】
複数の走査線１１２は、図４中、画像表示領域１０ａ内に縦方向に沿って配列されている。本実施形態では、複数の走査線１１２は、図４中、その配列方向に沿った順番で選択されるものとする。以下では、特に、第（ｊ−１）番目及び第ｊ番目に選択される走査線１１２に対応する画素部７０に着目して説明する。
【００６７】
また、本実施形態では、各画素部７０において、液晶素子１１８によってノーマリーホワイトモードの表示が行われるものとする。尚、図５において、液晶素子１１８によって黒色の表示を行うための画像信号ＶＩＤｋの表示電位は、正極性で１２［Ｖ］及び負極性で２［Ｖ］である。
【００６８】
ここで、各走査線１１２の選択期間は、走査線駆動回路１０４から走査信号Ｙｊが出力されている期間に相当する。そして、各走査線１１２の選択期間は、Ｙクロック信号ＣＬＹ及び反転Ｙクロック信号ＣＬＹｉｎｖによって規定される。図５において、Ｙクロック信号ＣＬＹが時刻ｔ１においてローレベルからハイレベルに立ち上がると、走査信号Ｙｊ−１が走査線駆動回路１０４から供給されることにより、第（ｊ−１）番目の走査線１１２が選択される。第（ｊ−１）番目の走査線１１２は、Ｙクロック信号ＣＬＹがハイレベルにある時刻ｔ１から時刻ｔ７までの期間において選択状態となり、第（ｊ−１）番目の走査線１１２に対応する画素部７０が選択される。
【００６９】
タイミング制御回路４００は、第（ｊ−１）番目の走査線１１２が選択された後、時刻ｔ３にプリチャージ用選択信号ＮＲＧを供給する。また、画像信号供給回路３００は、画像信号ＶＩＤｋの電圧の極性を、時刻ｔ１より後であって時刻ｔ３以前の期間において、時刻ｔ２に負極性から正極性に反転させる。このような極性反転に伴い、画像信号ＶＩＤｋの電位２［Ｖ］は、基準電位ｖ０を中心として電位１２［Ｖ］に変化する。
【００７０】
プリチャージ用選択信号ＮＲＧは、ＯＲ回路１７０を介して、サンプリング回路２００におけるｎ個のサンプリングスイッチ２０２にまとめて供給される。そして、プリチャージ用選択信号ＮＲＧが供給されている、時刻ｔ３から時刻ｔ４の期間に、ｎ個のサンプリングスイッチ２０２はまとめてオン状態となり、プリチャージ期間が選択される。
【００７１】
画像信号供給回路３００は、プリチャージ期間に、画像信号ＶＩＤｋの電圧を、所定の基準電位ｖ０及びプリチャージ電位ｖ１（+）によって規定されるプリチャージ電圧に調整する。そして、プリチャージ電圧の画像信号ＶＩＤｋが、プリチャージ信号として画像信号供給回路３００より、ｎ個のサンプリングスイッチ２０２に供給される。各サンプリングスイッチ２０２は、対応するデータ線１１４にプリチャージ信号を供給する。これにより、ｎ本のデータ線１１４はまとめてプリチャージされる。
【００７２】
時刻ｔ４に、プリチャージ用選択信号ＮＲＧの供給が終了して、プリチャージ期間が終了すると、画像信号供給回路３００は、画像信号ＶＩＤｋを、プリチャージ電位ｖ１（＋）から電位１２［Ｖ］に調整する。このように画像信号ＶＩＤｋの電位が調整されることにより、プリチャージ信号の供給が終了する。
【００７３】
その後、時刻ｔ５に、サンプリング信号Ｓｉがデータ線駆動回路１０１から供給され、ＯＲ回路１７０を介して、サンプリング回路２００におけるサンプリングスイッチ２０２に供給される。そして、サンプリング信号Ｓｉが供給されている、時刻ｔ５から時刻ｔ６の期間に、サンプリングスイッチ２０２は、シフトレジスタ出力であるサンプリング信号Ｓｉの出力に応じて順にオン状態となる。この際、パラレル−シリアル展開が採用されているため、同一のサンプリング信号Ｓｉに接続されているサンプリングスイッチ２０２は、まとめてオン状態とされる。本実施形態では特に、１つの連続した画像信号供給期間（例えば、図５における、時刻ｔ５〜ｔ６の期間）に、１ライン分の画像信号ＶＩＤｋに対応して、サンプリング信号Ｓ１、・・・、Ｓｎが出力される。また、別の１つの連続した画像信号供給期間（例えば、図５における、時刻ｔ１１〜ｔ１２の期間）に、別の１ライン分の画像信号ＶＩＤｋに対応して、サンプリング信号Ｓ１、・・・、Ｓｎが出力される。いずれにせよ、画像信号供給期間にのみ、画像信号のサンプリングが行なわれて、データ線１１４への画像信号ＶＩＤｋの供給が行なわれる。
【００７４】
画像信号供給回路３００は、時刻ｔ５からｔ６の期間に、画像信号ＶＩＤｋの電圧を、データ線毎に所定の基準電位ｖ０及び表示電位ｖ２（+）によって規定される表示電圧に調整する。そして、画像信号供給回路３００より、表示電圧の画像信号ＶＩＤｋが、オン状態のサンプリングスイッチ２０２を介して、対応するデータ線１１４に供給される。このように駆動されたデータ線１１４に対応し、且つ第（ｊ−１）番目の走査線１１２に対応する画素部７０には夫々画像信号ＶＩＤｋが供給される。このように、時刻ｔ５からｔ６の期間に、実際に表示すべき画像データに応じた画像信号ＶＩＤｋがサンプリングスイッチ２０２及びデータ線１１４を介して供給される。
【００７５】
時刻ｔ６に、サンプリング信号Ｓｉの供給が終了して、画像信号供給期間が終了すると、画像信号供給回路３００は、画像信号ＶＩＤｋを、表示電位ｖ２（＋）から電位１２［Ｖ］に調整する。その後、時刻ｔ７に第（ｊ−１）番目の走査線１１２に対応する画素部７０の選択が終了する。
【００７６】
続いて、Ｙクロック信号ＣＬＹが時刻ｔ７においてハイレベルからローレベルに立ち下がると、走査信号Ｙｊが走査線駆動回路１０４から供給されることにより、第ｊ番目の走査線１１２が選択される。第ｊ番目の走査線１１２は、Ｙクロック信号ＣＬＹがローレベルにある時刻ｔ７から時刻ｔ１３までの期間において選択状態となり、第ｊ番目の走査線１１２に対応する画素部７０が選択される。
【００７７】
第ｊ番目の走査線１１２の選択期間において、第（ｊ−１）番目の走査線１１２の選択期間と同様に、時刻ｔ９から時刻ｔ１０までの期間にタイミング制御回路４００からプリチャージ用選択信号ＮＲＧが供給された後、時刻ｔ１１から時刻ｔ１２までの期間にデータ線駆動回路１０１からサンプリング信号Ｓｉが供給される。これにより、プリチャージ期間にｎ本のデータ線１１４がまとめてプリチャージされた後、画像信号供給期間に、駆動された各データ線１１４に対応し、且つ第ｊ番目の走査線１１２に対応する画素部７０によって画像表示が行われる。
【００７８】
ここで、画像信号供給回路３００は、画像信号ＶＩＤｋの電圧の極性を、時刻ｔ７より後であって時刻ｔ９以前の期間において、時刻ｔ８に正極性から負極性に反転させる。このような極性反転に伴い、画像信号ＶＩＤｋの電位１２［Ｖ］は、基準電位ｖ０を中心として電位２［Ｖ］に変化する。そして、画像信号供給回路３００は、プリチャージ期間に、画像信号ＶＩＤｋの電圧を、所定の基準電位ｖ０及びプリチャージ電位ｖ１（−）によって規定されるプリチャージ電圧に調整して画像信号ＶＩＤｋをプリチャージ信号として供給する。また、画像信号供給回路３００は、画像信号供給期間に、画像信号ＶＩＤｋを、データ線毎に所定の基準電位ｖ０及び表示電位ｖ２（−）によって規定される表示電圧に調整して、供給する。
【００７９】
以上説明したように、各画素部７０において液晶素子１１８は、電圧が極性反転された画像信号ＶＩＤｋが供給されることにより交流駆動される。第（ｊ−１）番目及び第ｊ番目に選択される走査線１１２について、画像信号供給回路３００は、画像信号ＶＩＤｋの電圧の極性反転を、第（ｊ−１）番目の走査線１１２の選択が終了した後に行う。従って、第（ｊ−１）番目の走査線１１２に対応する画素部７０の選択は終了しているため、該画素部７０に、対応するデータ線１１４にサンプリングスイッチ２０２の容量結合を介して供給された画像信号ＶＩＤｋの交流成分が書き込まれる事態を防止することができる。よって、例えば、表示画面の中央付近に位置する画素部７０においても、該画素部７０に対応する走査線１１２の選択が終了してから、画像信号ＶＩＤｋの電圧の極性反転が行われるため、液晶素子１１８に画像信号ＶＩＤｋの交流成分が書き込まれる事態を防止して、液晶素子１１８の誤動作を防止することが可能となる。よって、液晶素子１１８において、直流成分の印加による液晶の劣化を防止することができる。その結果、各画素部７０において高品質な画像表示を行うことが可能となる。
【００８０】
ここで、プリチャージ期間にプリチャージ信号が書き込まれることにより、ｎ本のデータ線１１４はプリチャージされている。従って、このようなプリチャージを行わない場合と比較して、画像信号供給期間に、極性反転された画像信号ＶＩＤｋの書き込みによって駆動されたデータ線１１４の電圧の変化を比較的小さくすること可能となる。従って、各データ線１１４に対する表示電圧の書き込みを、比較的短時間で行うことが可能となる。
【００８１】
尚、上述したようにｎ本のデータ線１１４を１群に属するデータ線１１４毎に駆動する場合に限られず、各データ線１１４毎に駆動するようにしてもよい。或いは、ｎ本のデータ線１１４を夫々、赤色（Ｒ）用、緑色（Ｇ）用、及び青色（Ｂ）用の３種のうちのいずれかとし、Ｒ用、Ｇ用、及びＢ用の３種のデータ線を１群として、１群に属するデータ線１１４毎に駆動するようにしてもよい。後者の場合には、画像信号供給回路３００は、入力画像データＶＩＤに基づいて画像信号をＲＧＢ各色に対応するＲ信号、Ｇ信号、及びＢ信号として生成して、供給する。
【００８２】
＜１−４；変形例＞
上述した第１実施形態の変形例について、図６を参照して説明する。図６は、本変形例に係る各種信号の経時的変化を示すタイミングチャートである。
【００８３】
図６において、画像信号供給回路３００は、第（ｊ−１）番目の走査線１１２の選択期間において、プリチャージ期間の開始時である時刻ｔ３に、画像信号ＶＩＤｋの電圧の極性を、負極性から正極性に反転させる。また、第ｊ番目の走査線１１２の選択期間において、画像信号ＶＩＤｋの電圧の極性反転は、プリチャージ期間の開始時である時刻ｔ９に行われる。
【００８４】
即ち、第（ｊ−１）番目及び第ｊ番目に選択される走査線１１２について、第（ｊ−１）番目の走査線１１２に対応する画素部７０の選択が終了した後に、画像信号ＶＩＤｋの電圧の極性反転が行われる。よって、第（ｊ−１）番目の走査線１１２に対応する画素部７０に、対応するデータ線１１４にサンプリングスイッチ２０２の容量結合を介して供給された画像信号ＶＩＤｋの交流成分が書き込まれる事態を防止することができる。
【００８５】
また、画像信号供給回路３００による極性反転において、画像信号ＶＩＤｋの電圧は所定のプリチャージ電圧に調整されるため、極性反転に伴う画像信号ＶＩＤｋの電圧の変化を比較的小さく抑えることが可能となる。
【００８６】
尚、第（ｊ−１）番目の走査線１１２の選択期間において、図５における時刻ｔ２から時刻ｔ５までの期間及び図６における時刻ｔ３から時刻ｔ５までの期間は帰線期間に相当する。また、第ｊ番目の走査線１１２の選択期間における帰線期間は、図５において時刻ｔ８から時刻ｔ１１までの期間及び図６において時刻ｔ９から時刻ｔ１１までの期間である。本変形例では、画像信号ＶＩＤｋの電圧の極性反転のタイミングは、プリチャージ期間の開始時付近とするようにしてもよい。この場合、プリチャージ期間の開始前とするのでは、前述の画像信号ＶＩＤｋの電圧変化を小さく抑えるという利益が享受できないため、プリチャージ期間の開始以降とするのが好ましい。このように画像信号ＶＩＤｋの電圧の極性反転のタイミングを、プリチャージ期間の開始以降であって、プリチャージ期間の開始時付近とすることにより、帰線期間を短時間とすることができる。或いは、短時間の帰線期間内にプリチャージ期間を入れることが可能となる。
【００８７】
＜２；第２実施形態＞
次に、本発明の電気光学装置に係る第２実施形態について説明する。第２実施形態において、電気光学装置としての液晶装置は、第１実施形態と比較して、液晶パネルにおける内部駆動回路の構成が異なる。よって、以下では、液晶装置の構成及び動作について、第１実施形態と異なる点についてのみ、図７から図９を参照して説明する。尚、第１実施形態と同様の構成については同一の符号を付して示し、重複する説明は省略する。
【００８８】
先ず、図７及び図８を参照して、第２実施形態における液晶装置の全体構成について説明する。ここに、図７は、第２実施形態における液晶装置の全体構成を示すブロック図であり、図８は、第２実施形態における液晶パネルの電気的な構成を示すブロック図である。
【００８９】
図７において、液晶装置の主要部には、液晶パネル１００、画像信号供給回路３００、タイミング制御回路４００、及び電源回路７００に加えて、プリチャージ信号供給回路５００が含まれる。プリチャージ信号供給回路５００は、プリチャージ信号ＮＲＳの電圧を、画像信号供給期間にデータ線１１４に供給される画像信号ＶＩＤｋの電圧の極性に対応させて、正極性及び負極性に反転して、プリチャージ信号ＮＲＳを供給する。即ち、第１実施形態では、ビデオプリチャージが行なわれていたのに対し、第２実施形態では、通常プリチャージが行なわれる。
【００９０】
次に、図８を参照して液晶装置における液晶パネル１００の電気的な構成について説明する。
【００９１】
図８において、液晶パネル１００において内部駆動回路には、走査線駆動回路１０４、データ線駆動回路１０１、及びサンプリング回路２００に加えてプリチャージ回路２０５が含まれる。プリチャージ回路２０５は、本発明に係る「プリチャージ選択用スイッチング素子」として、Ｐチャネル型又はＮチャネル型の片チャネル型ＴＦＴ若しくは相補型のＴＦＴから構成されたプリチャージスイッチ２０４を複数備える。図８において、各データ線１１４の一端はサンプリングスイッチ２０２に接続されると共に、各データ線１１４の他端はプリチャージスイッチ２０４に接続されている。そして、各プリチャージスイッチ２０４には、タイミング制御回路４００によって生成されたプリチャージ選択用信号ＮＲＧが入力されると共に、プリチャージ信号供給回路５００より供給されるプリチャージ信号ＮＲＳが入力される。各プリチャージスイッチ２０４は、プリチャージ選択用信号ＮＲＧに応じて、対応するデータ線１１４にプリチャージ信号ＮＲＳを供給する。
【００９２】
ここで、第２実施形態では、サンプリング回路２００において、１群に属するサンプリングスイッチ２０２には夫々、データ線駆動回路１０１からサンプリング信号Ｓｉが入力される。そして、１群に属するサンプリングスイッチ２０２は夫々、対応するデータ線１１４に対し、サンプリング信号Ｓｉに応じて画像信号ＶＩＤｋをサンプリングして供給する。
【００９３】
次に、図７及び図８のほか図９を参照して、第２実施形態における液晶装置の動作について説明する。図９は、第２実施形態における液晶装置の動作に係る各種信号の経時的変化を示すタイミングチャートである。
【００９４】
第２実施形態では、第１実施形態と同様、複数の走査線１１２は、図８中、その配列方向に沿った順番で選択され、各画素部７０において、液晶素子１１８によってノーマリーホワイトモードの表示が行われるものとする。以下では、特に、第（ｊ−１）番目及び第ｊ番目に選択される走査線１１２に対応する画素部７０に着目して説明する。尚、図９において、液晶素子１１８によって黒色の表示を行うための画像信号ＶＩＤｋの表示電位は、正極性で１２［Ｖ］及び負極性で２［Ｖ］である。また、プリチャージ信号ＮＲＳの電圧は、正極性及び負極性で電位２［Ｖ］及び電位７［Ｖ］によって規定される電圧５［Ｖ］である。
【００９５】
図９において、Ｙクロック信号ＣＬＹが時刻ｔ８１においてローレベルからハイレベルに立ち上がると、第（ｊ−１）番目の走査線１１２が選択される。第（ｊ−１）番目の走査線１１２は、Ｙクロック信号ＣＬＹがハイレベルにある時刻ｔ８１から時刻ｔ８７までの期間において選択状態となり、第（ｊ−１）番目の走査線１１２に対応する画素部７０が選択される。
【００９６】
タイミング制御回路４００は、時刻ｔ８３にプリチャージ用選択信号ＮＲＧを供給する。また、画像信号供給回路３００は、画像信号ＶＩＤｋの電圧の極性を、時刻ｔ８１より後であって時刻ｔ８３以前の期間において、時刻ｔ８２に負極性から正極性に反転させる。このような極性反転に伴い、画像信号ＶＩＤｋの電位２［Ｖ］は、基準電位ｖ０を中心として電位１２［Ｖ］に変化する。
【００９７】
更に、プリチャージ信号供給回路５００は、プリチャージ信号ＮＲＳの電圧の極性を、時刻ｔ８１より後であって時刻ｔ８３以前の期間において、時刻ｔ８２に負極性から正極性に反転させる。このような極性反転に伴い、プリチャージ信号ＮＲＳの電位２［Ｖ］は電位７「Ｖ］に変化する。尚、プリチャージ信号ＮＲＳと画像信号ＶＩＤｋとの極性反転のタイミングは、時刻ｔ８１より後であって時刻ｔ８３以前の期間であれば、互いに一致していなくてもよい。
【００９８】
プリチャージ用選択信号ＮＲＧは、プリチャージ回路２０５におけるｎ個のプリチャージスイッチ２０４にまとめて供給される。そして、プリチャージ用選択信号ＮＲＧが供給されている、時刻ｔ８３から時刻ｔ８４の期間に、ｎ個のプリチャージスイッチ２０４はまとめてオン状態となり、プリチャージ期間が選択される。
【００９９】
プリチャージ信号供給回路５００は、プリチャージ期間に、正極性の電圧のプリチャージ信号ＮＲＳを、ｎ個のプリチャージスイッチ２０４に対して供給する。各プリチャージスイッチ２０４は、対応するデータ線１１４にプリチャージ信号ＮＲＳを供給する。これにより、ｎ本のデータ線１１４はまとめてプリチャージされる。
【０１００】
時刻ｔ８４にプリチャージ期間が終了した後、時刻ｔ８５に、サンプリング信号Ｓｉがデータ線駆動回路１０１から供給され、サンプリング回路２００におけるサンプリングスイッチ２０２に供給される。そして、サンプリング信号Ｓｉが供給されている、時刻ｔ８５から時刻ｔ８６までの期間に、サンプリングスイッチ２０２はオン状態となり、画像信号供給期間が規定される。画像信号供給期間には、第１実施形態と同様に、駆動されたデータ線１１４に対応し、且つ第（ｊ−１）番目の走査線１１２に対応する画素部７０には夫々画像信号ＶＩＤｋが供給される。
【０１０１】
その後、時刻ｔ８７に第（ｊ−１）番目の走査線１１２に対応する画素部７０の選択が終了すると共に、第ｊ番目の走査線１１２が選択される。第ｊ番目の走査線１１２の選択期間である時刻ｔ８７から時刻ｔ９３までの期間において、第ｊ番目の走査線１１２に対応する画素部７０が選択される。
【０１０２】
第ｊ番目の走査線１１２の選択期間において、第（ｊ−１）番目の走査線１１２の選択期間と同様に、時刻ｔ８９から時刻ｔ９０までの期間にタイミング制御回路４００からプリチャージ用選択信号ＮＲＧが供給された後、時刻ｔ９１から時刻ｔ９２までの期間にデータ線駆動回路１０１からサンプリング信号Ｓｉが供給される。これにより、プリチャージ期間にｎ本のデータ線１１４がまとめてプリチャージされた後、画像信号供給期間に、駆動されたデータ線１１４に対応し、且つ第ｊ番目の走査線１１２に対応する画素部７０によって画像表示が行われる。
【０１０３】
ここで、画像信号供給回路３００は、画像信号ＶＩＤｋの電圧の極性を、時刻ｔ８７より後であって時刻ｔ８９以前の期間において、時刻ｔ８８に正極性から負極性に反転させる。このような極性反転に伴い、画像信号ＶＩＤｋの電位１２［Ｖ］は、基準電位ｖ０を中心として電位２［Ｖ］に変化する。また、プリチャージ信号供給回路５００は、プリチャージ信号ＮＲＳの電圧の極性を、時刻ｔ８７より後であって時刻ｔ８９以前の期間において、時刻ｔ８８に正極性から負極性に反転させる。このような極性反転に伴い、プリチャージ信号ＮＲＳの電位７［Ｖ］は電位２「Ｖ］に変化する。
【０１０４】
よって、第（ｊ−１）番目及び第ｊ番目に選択される走査線１１２について、第（ｊ−１）番目の走査線１１２に対応する画素部７０の選択が終了している状態で、プリチャージ信号供給回路５００によって、プリチャージ信号ＮＲＳの電圧の極性が反転され、画像信号供給回路３００によって画像信号ＶＩＤｋの電圧の極性が反転される。従って、第（ｊ−１）番目の走査線１１２に対応する画素部７０に、対応するデータ線１１４にプリチャージスイッチ２０４又はサンプリングスイッチ２０２の容量結合を介して供給されたプリチャージ信号ＮＲＳ又は画像信号ＶＩＤｋの交流成分が書き込まれる事態を防止することができる。
【０１０５】
また、プリチャージ期間にｎ本のデータ線１１４をまとめてプリチャージすることにより、画像信号供給期間に、各データ線１１４に対する画像信号ＶＩＤｋの書き込みを、比較的短時間で行うことが可能となる。
【０１０６】
尚、第２実施形態では、プリチャージ期間の開始以降であってプリチャージ期間の開始時付近に、プリチャージ信号供給回路５００はプリチャージ信号ＮＲＳの電圧を極性反転すると共に、画像信号供給回路３００は、画像信号ＶＩＤｋの電圧を極性反転するようにしてもよい。このようにすれば、帰線期間を短時間とすることができる。若しくは、短時間の帰線期間内にプリチャージ期間を入れることが可能となる。ここで、図９において、第（ｊ−１）番目の走査線１１２の選択期間において、時刻ｔ８２から時刻ｔ８５までの期間、及び第ｊ番目の走査線１１２の選択期間において、時刻ｔ８８から時刻ｔ９１までの期間が帰線期間に相当する。
【０１０７】
＜３；電子機器＞
次に、上述した液晶装置を各種の電子機器に適用する場合について説明する。
【０１０８】
＜３−１：プロジェクタ＞
まず、この液晶装置をライトバルブとして用いたプロジェクタについて説明する。図１０は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【０１０９】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１１０】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【０１１１】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１１２】
＜３−２：モバイル型コンピュータ＞
次に、液晶装置を、モバイル型のパーソナルコンピュータに適用した例について説明する。図１１は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１１３】
＜３−３；携帯電話＞
さらに、液晶装置を、携帯電話に適用した例について説明する。図１２は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１１４】
尚、図１０から図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１１５】
本発明は、上述した実施形態に限られるものではなく、請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【図面の簡単な説明】
【０１１６】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】液晶装置の動作に係る各種信号の経時的変化を示すタイミングチャートである。
【図６】本変形例に係る各種信号の経時的変化を示すタイミングチャートである。
【図７】第２実施形態における液晶装置の全体構成を示すブロック図である。
【図８】第２実施形態における液晶パネルの電気的な構成を示すブロック図である。
【図９】第２実施形態における液晶装置の動作に係る各種信号の経時的変化を示すタイミングチャートである。
【図１０】液晶装置を適用した電子機器の一例たるプロジェクタの構成を示す平面図である。
【図１１】液晶装置を適用した電子機器の一例たるパーソナルコンピュータの構成を示す斜視図である。
【図１２】液晶装置を適用した電子機器の一例たる携帯電話の構成を示す斜視図である。
【符号の説明】
【０１１７】
９ａ…画素電極、１０ａ…画像表示領域、１０…ＴＦＴアレイ基板、２０…対向基板、２１…対向電極、７０…画素部、１００…液晶パネル、１０１…データ線駆動回路、１０４…走査線駆動回路、１１２…走査線、１１４…データ線、１１８…液晶素子、２００…サンプリング回路、２０２…サンプリングスイッチ、３００…画像信号供給回路、４００…タイミング制御回路
【図１】
2005316023.tif 000003
【図２】
2005316023.tif 000004
【図３】
2005316023.tif 000005
【図４】
2005316023.tif 000006
【図５】
2005316023.tif 000007
【図６】
2005316023.tif 000008
【図７】
2005316023.tif 000009
【図８】
2005316023.tif 000010
【図９】
2005316023.tif 000011
【図１０】
2005316023.tif 000012
【図１１】
2005316023.tif 000013
【図１２】
2005316023.tif 000014